(57)【要約】【課題】例えばコンクリート等に形成した穿孔内にアンカーボルトを挿入して固定する場合などに用いる容体入り固結材に係り、設計上好ましい穿孔深さ及びそれに適する容体入り固結材の長さに変動があっても、それに容易に対応することのできる容体入り固結材を提供する。【解決手段】アンカーボルト２と共に穿孔ｈ内に挿入して該アンカーボルト２を穿孔ｈ内に固定するための容体入り固結材Ａであって、所定長さの容体１内を長さ方向に複数個の室１０に分割して、その各室１０内に硬化性固結材を収容し、隣り合う室１０・１０間に易分離手段を設けたことを特徴とする。上記の易分離手段としては、例えば隣り合う室１０・１０間にミシン目１１ａ等を設ける。【選択図】図１
0003133809.tif 000002
【実用新案登録請求の範囲】
【請求項１】
柱や壁等の被施工部に形成した穿孔内にアンカーボルトと共に挿入して該アンカーボルトを穿孔内に定着するための容体入り固結材であって、
所定長さの容体内を長さ方向に複数個の室に分割して、その各室内に硬化性固結材を収容し、隣り合う室間に易分離手段を設けたことを特徴とする容体入り固結材。
【請求項２】
上記易分離手段として隣り合う室間にミシン目を設けてなる請求項１に記載の容体入り固結材。
【請求項３】
上記容体を透水性を有する材料で形成すると共に、上記硬化性固結材としてセメント系固結材を上記各室内に収容してなる請求項１または２に記載の容体入り固結材。
【考案の詳細な説明】
【技術分野】
【０００１】
本考案は、例えばコンクリート等に形成した穿孔内にアンカーボルトを挿入して固定する場合などに用いる容体入り固結材に関する。
【背景技術】
【０００２】
従来たとえば既設のコンクリート柱や壁等に各種物品を取付けたり、上記の柱や壁等を補強する場合などに、その柱や壁等にアンカーボルトを打設して、そのアンカーボルトに各種物品を取付けたり、上記アンカーボルトを補強鉄筋として上記の柱や壁等を剪断補強する、或いは上記アンカーボルトを差し筋としてコンクリートを増し打ちする等のアンカーボルトを用いた各種の工法が行われている。
【０００３】
この場合、上記アンカーボルトとしては、例えば異型鉄筋や全ねじボルト等が多く用いられ、そのアンカーボルトを上記コンクリート柱や壁等に形成した穿孔内に挿入して硬化性の接着材や定着材等の固結材で定着固定するのが一般的であり、その固結材としては、予め紙や布製の袋もしくはプラスチック製のカプセル等よりなる容体内に収容してなる容体入りの固結材として上記穿孔内に挿入するようにしたものは知られている（例えば下記特許文献１参照）。
【０００４】
上記の容体入り固結材としては、例えば水との水和反応で硬化（固化）するセメントやモルタル等のセメント系固結材を紙や布製の袋等よりなる容体内に収容したもの、或いは各種の合成樹脂等よりなる接着材や定着材に必要に応じて骨材等を混入してなる固結材をプラスチック製のカプセル等よりなる容体内に封入したもの等が多く用いられている。
【０００５】
上記のような容体入りの固結材のうちプラスチック製のカプセル等よりなる容体にあっては、例えば上記アンカーボルトをハンマードリル等に装着して該アンカーボルトに回転と打撃を与えながら穿孔内に押し込むようにすれば容易に破壊することができる。また上記セメント系固結材のように紙や布製の袋等よりなる容体にあっては、例えば手ハンマー等でアンカーボルトを打ち込むだけでも上記容体を容易に破壊することが可能である。
【０００６】
ところで、上記のような容体入り固結材、特にセメント系固結材を収容したものにあっては、容体の種類が限られており、その種類毎に容体の長さが決まっているので、容体の長さに応じて施工可能なアンカーボルトの長さや穿孔深さが限定されてしまう等の不具合がある。そのため、例えば設計上好ましいアンカーボルト長や穿孔深さが容体の長さの半分または１本半程度でよい場合でも、容体の長さに合わせてアンカーボルト長や穿孔深さを必要以上に長くして施工したり、柱や壁の厚さによっては長くできないために施工を断念せざるを得ない場合も少なくなかった。
【０００７】
そこで、現場では止むを得ず上記の容体入り固結材をカッター等で所望の長さに切断して使用することも行われているが、容体中の固結材が洩れ出して周囲を汚損したり、その洩れ出しを防ぐためにカバー等を被せるのは面倒であり、特にセメント系固結材のように水に浸漬してから使用するものにあっては、簡単なカバー程度では洩れ出しを充分に防ぐことができない等の問題があった。
【０００８】
【特許文献１】特開２００５−３００３６号公報
【考案の開示】
【考案が解決しようとする課題】
【０００９】
本考案は上記問題点に鑑みて提案されたもので、容体入り固結材をカッター等で切断することなく、所望の長さの容体入り固結材を容易に得ることができるようにすることを目的とする。
【課題を解決するための手段】
【００１０】
上記の目的を達成するために本考案による容体入り固結材は、以下の構成としたものである。すなわち、柱や壁等の被施工部に形成した穿孔内にアンカーボルトと共に挿入して該アンカーボルトを穿孔内に定着するための容体入り固結材であって、所定長さの容体内を長さ方向に複数個の室に分割して、その各室内に硬化性固結材を収容し、隣り合う室間に易分離手段を設けたことを特徴とする。
【００１１】
上記易分離手段としては、例えば隣り合う室間にミシン目を設けた構成とすることができる。また上記容体を透水性を有する材料で形成すると共に、上記硬化性固結材としてセメント系固結材を上記各室内に収容してなるものを用いることができる。
【考案の効果】
【００１２】
上記のように本考案による容体入り固結材は、所定長さの容体内を長さ方向に複数個の室に分割して、その各室内に硬化性固結材を収容し、隣り合う室間に易分離手段を設けたから、上記複数個の室のうちのいずれかの隣り合う室間にある易分離手段で、いくつかの室に分離することによって所望の長さの容体入り固結材を得ることが可能となる。それによって、設計上好ましいアンカーボルト長または穿孔深さに適する容体入り固結材を容易に得ることができ、設計に則した良好なアンカーボルト施工が可能となる。
【００１３】
また上記易分離手段での分離作業は必要な箇所の易分離手段のみを分離すればよいので分離作業は容易にであり、特に上記易分離手段として、隣り合う室間にミシン目を形成すると、更に容易に分離することが可能となる。さらに上記のように必要な易分離手段のみを分離すると、他の易分離手段は繋がったままの状態で穿孔内に挿入できるので、挿入作業が容易で迅速に施工できる等の効果がある。
【考案を実施するための最良の形態】
【００１４】
以下、本考案を図に示す実施形態に基づいて具体的に説明する。図１（ａ）は本考案による容体入り固結材の一実施形態を示す正面図、同図（ｂ）は上記の容体入り固結材を易分離手段で分離している状態の正面図である。
【００１５】
本実施形態の容体入り固結材Ａは、紙や布製の袋（図の場合は透水性の和紙袋）等よりなる略円筒状の容体１内を、その長手方向に複数個（図の場合は４つ）の室１０に分割して、その各室１０内に、それぞれ硬化性固結材ａとしてセメントやモルタル等のセメント系固結材を収容した構成であり、上記容体１の両端部１ａ，１ｂおよび隣り合う室１０・１０間には、それぞれ上記略円筒状の容体１をその直径方向両側から圧搾してヒートシール等で密着固定した扁平な閉塞部１１が設けられている。
【００１６】
そして、上記の隣り合う室１０・１０間に、それぞれの室１０を容易に分離できるように易分離手段を設けたもので、図の場合は上記の隣り合う室１０・１０間に設けた上記の扁平な閉塞部１１に、易分離手段としてミシン目１１ａを設けたものである。
【００１７】
次に、上記のような容体入り固結材Ａを用いて柱や壁等の被施工部に形成した穿孔内に定着するためのアンカーボルト２の一例と、その施工手順等について説明する。
【００１８】
図２は上記のようなアンカーボルト２の一例を示すもので、同図（ａ）および（ｂ）はアンカーボルトに回転と打撃を与えながら穿孔内に挿入する回転打撃用のアンカーボルトで、（ａ）は後端部２ｂの雄ねじ部２２を除くほぼ全長が異型棒鋼よりなる異型棒鋼タイプ、（ｂ）はほぼ全長に雄ねじ２２を有する全ねじタイプのアンカーボルトであり、その各回転打撃用アンカーボルト２の先端部２ａには傾斜面２１が形成され、後端部２ｂには該アンカーボルトをハンマードリル等に連結するための袋ナット等よりなる連結ナット２３がねじ込まれている。
【００１９】
また図２（ｃ）および（ｄ）はアンカーボルト２を手ハンマー等で叩いて穿孔ｈ内に挿入する打ち込み用のアンカーボルトで、（ｃ）は後端部２ｂの雄ねじ部２２を除くほぼ全長が異型棒鋼よりなる異型棒鋼タイプ、（ｄ）はほぼ全長に雄ねじ２２を有する全ねじタイプのアンカーボルトであり、その各打ち込み用アンカーボルト２の先端部２ａは該アンカーボルトの軸線方向と直角方向にほぼ平らに形成されている。
【００２０】
図３および図４は上記図２（ａ）および（ｂ）に示すような回転打撃用のアンカーボルトを施工する場合の施工手順の一例を示すもので、先ず、図３（ａ）に示すように上記アンカーボルトを施工すべきコンクリート柱や壁等の被施工部Ｆに、図に省略したドリル等で穿孔ｈを施す。その穿孔ｈの径および深さは、施工するアンカーボルトの径や長さに応じて適宜調整するもので、本実施形態においては前記図２（ａ）の回転打撃用のアンカーボルトに適する径および深さの穿孔ｈが施されている。
【００２１】
上記の穿孔作業が終了したところで、上記穿孔ｈ内に残留する切削粉やほこり等を排除する。その手段や方法等は適宜であるが、例えば図３（ｂ）のように上記穿孔ｈ内に吸排気チューブＴを介して空気を吹き付け又は吸引して排除する。或いは図のようなブラシＢ等を用いて排除することもできる。
【００２２】
次いで、上記穿孔ｈ内に容体入り固結材Ａを挿入するもので、その際、上記穿孔ｈ内に挿入する容体入り固結材Ａの長さは、アンカーボルト２の径や長さ及び穿孔ｈの径や深さ等を勘案して適宜調整する。本実施形態においては、上記穿孔ｈの深さよりも僅かに短い長さになるように、上記容体入り固結材Ａの１本半分の長さにしたもので、図３（ｃ）に示すように上記容体入り固結材Ａを１本と、もう１つの容体入り固結材Ａを、その半分の長さになるように、その長手方向中央部の易分離手段としてのミシン目１１ａに沿って切断して分離したものである。
【００２３】
上記実施形態のように硬化性固結材ａとしてセメント系固結材を収容した容体入り固結材Ａにあっては、図２（ｄ）のように水槽Ｒ内の水中に所定時間（１〜５分程度）浸漬して、透水性の和紙袋よりなる容体１（室１０）内のセメント系固結材に水を浸透させる。図の場合は１つの穿孔ｈ内に挿入する分だけを水槽Ｒ内に浸漬するようにしたが、それ以上の容体入り固結材Ａを浸漬するようにしてもよい。また前記容体入り固結材Ａの分離作業は、上記の浸漬作業が終了してから行ってもよい。
【００２４】
上記のようにして所定時間水に浸漬したところで、上記容体入り固結材Ａを図４（ａ）および（ｂ）に示すように前記の穿孔ｈ内に挿入するもので、図の場合は穿孔ｈ内に１本分の容体入り固結材Ａを挿入してから残り半本分の容体入り固結材を挿入するようにしたが、その挿入順序は適宜である。
【００２５】
上記のようにして穿孔ｈ内に容体入り固結材Ａを挿入したところで、上記穿孔ｈ内にアンカーボルト２を挿入するもので、本実施形態においては図４（ｃ）のように回転打撃用のアンカーボルト２の後端部に設けた前記連結ナット２３にチャックＣを介してハンマードリルＤを連結し、そのハンマードリルＤで上記アンカーボルト２に回転と打撃を付与しながら該アンカーボルト２を上記穿孔ｈ内に挿入して行く。
【００２６】
すると、上記アンカーボルト２の先端部２ａに設けた傾斜面２１によって容体入り固結材Ａの容体１（室１０）が順次破砕されて該容体１内の固結材ａが穿孔ｈ内に順次流出していく。そして上記容体１が充分に破砕され、かつ該容体１内の固結材ａが図４（ｃ）のように穿孔ｈ内のアンカーボルト２の周囲に万遍なく浸透したところで上記アンカボルト２の挿入作業を終了する。
【００２７】
次いで、図４（ｃ）のようにアンカーボルト２からハンマードリルＤおよび連結ナット２３を外し、その状態で固結材ａが充分に硬化するまで養生する。そして上記固結材ａが充分に硬化したところで、上記アンカーボルト２に各種物品を取付けたり、上記アンカーボルト２を補強鉄筋等として使用するもので、図の場合は上記アンカーボルト２を貫通させた補強板Ｐを前記被施工部Ｆの表面に配置し、上記アンカーボルト２の端部雄ねじ部にねじ込んだナット３と上記被施工部Ｆとの間に上記補強板Ｐを挟んで締付け固定した構成である。図中、４はワッシャである。
【００２８】
なお、上記実施形態は前記図２（ａ）に示す回転打撃用のアンカーボルトを用いたが、前記図２（ｂ）に示す回転打撃用のアンカーボルトを用いる場合も上記と同様の要領で施工可能であり、また上記以外の回転打撃用のアンカーボルトにも適用できる。
【００２９】
また前記図２（ｃ）および（ｄ）に示すような打ち込み式のアンカーボルトにも適用可能であり、以下、前記図１の容体入り固結材Ａを用いて前記図２（ｄ）に示す打ち込み式のアンカーボルトをコンクリート柱や壁等の被施工部Ｆに形成した穿孔ｈ内に定着する場合のプロセスの一例を図５に基づいて説明する。
【００３０】
先ず、前記実施形態と同様に図５（ａ）に示すようにアンカーボルトを施工すべき柱や壁等の被施工部Ｆ等に、図に省略したドリル等で穿孔ｈを施す。その穿孔ｈの径および深さは、施工するアンカーボルトの径や長さに応じて適宜調整するもので、本実施形態においては前記図２（ｄ）の打ち込み式アンカーボルトに適する径および深さの穿孔ｈが施されている。
【００３１】
上記の穿孔作業が終了したところで、前記と同様に例えば図５（ｂ）のように上記穿孔ｈ内に吸排気ホースＨを介して空気を吹き付け又は吸引して上記穿孔ｈ内に残留する切削粉やほこり等を排除する。或いは図のようなブラシＢ等を用いて排除することもできる。
【００３２】
次いで、上記穿孔ｈ内に容体入り固結材Ａを挿入するもので、その際、上記穿孔ｈ内に挿入する容体入り固結材Ａの長さを、前記と同様にアンカーボルト２の径や長さ及び穿孔ｈの径や深さ等を勘案して適宜調整する。本実施形態においては、図５（ｃ）に示すように前記４つの室１０からなる容体入り固結材Ａの１本分の長さでは長すぎるので室１０の１つを前記易分離手段としてのミシン目１１ａに沿って切除したものである。
【００３３】
その切除した室１０は他のアンカーボルトの定着に使用し、残り３つの室１０を前記易分離手段で繋がったままの状態で、前記と同様に図に省略した水槽内に所定時間浸漬した後、図５（ｄ）のように穿孔ｈ内に挿入する。次いで、上記穿孔ｈ内に図５（ｅ）のように前記の打ち込み式のアンカーボルト２を、その後端部を手ハンマーＨで叩きながら挿入する。
【００３４】
それによって、上記アンカーボルト２の先端部２ａで容体入り固結材Ａの室１０が順次破砕されて該室１０内の固結材ａが穿孔ｈ内に順次流出していく。そして上記室１０が充分に破砕され、かつ該室１０内の固結材ａが図５（ｆ）のように穿孔ｈ内のアンカーボルト２の周囲に万遍なく浸透したところで上記アンカボルト２の挿入作業を終了する。
【００３５】
以後は前記実施形態と同様に固結材ａが充分に硬化するまで養生した後、上記アンカーボルト２を利用して前記図４（ｅ）と同様の要領で補強板ｐ等を取付ければよい。それ例外にも例えば上記アンカーボルト２に各種物品を取付けたり、上記アンカーボルト２を補強鉄筋として剪断補強する。或いは、上記のアンカーボルト２を差し筋として前記の柱や壁等の被施工部Ｆよりも外方に突出させ、その突出部を埋め込むようにコンクリートを増し打ちして上記柱や壁等の被施工部Ｆを補強する等、その他各種の用途にも適用できるものである。
【００３６】
なお、上記実施形態は前記図２（ｄ）に示す打ち込み式のアンカーボルトを用いたが、図２（ｃ）に示す打ち込み式アンカーボルトを用いる場合も上記と同様であり、また上記以外の打ち込み式アンカーボルトや、その他各種のアンカーボルトを定着する場合にも上記と同様の要領で施工することができる。
【００３７】
上記のようにして本考案による容体入り固結材Ａは、その長さ方向に複数個の室１０に分割して、その各室１０内に硬化性固結材ａを収容し、隣り合う室１０・１０間に易分離手段を設けたから、容体入り固結材Ａを所望の長さに容易に分離して使用することが可能となるもので、容体入り固結材Ａの長さによって、該固結材で定着されるアンカーボルトや穿孔深さが制限されることなく、各種長さのアンカーボルトを容易に定着することできるものである。
【００３８】
以上の実施形態は容体入り固結材Ａとして和紙袋よりなる容体１内にセメント系の固結材を収容したが、例えば図６に示すように容体１を合成樹脂製のチューブ等で形成して、その容体１内を複数個（図の場合は４つ）の室１０に分割し、その各室１０内に、それぞれ硬化性固結材ａとして各種の接着材や定着材等を収容するようにしてもよい。
【００３９】
また上記図６の実施形態は、前記図１の実施形態と同様に、隣り合う室１０・１０間に扁平な閉塞部１１を形成して、その閉塞部１１に易分離手段としてミシン目１１ａを設けたものであるが、その易分離手段は隣り合う室１０・１０を手作業等で容易に分離できるものであれば、その構成は適宜であり、例えば上記ミシン目１１ａの代わりに、いわゆるハーフカットラインや弱化溝等を設けるようにしてもよい。前記図１の実施形態についても同様である。
【００４０】
さらに図７は本考案による容体入り固結材Ａの他の構成例を示すもので、本例は所定長さの容体１を長さ方向に複数個の室に分割する手段として、合成樹脂やガラス製の有底筒状のカプセル等で複数個（図の場合は２つ）の室１０を構成して、その各室１０内に接着材や定着材等の硬化性固結材ａを収容すると共に、上記複数個の室１０・１０を易分離手段としての粘着体１３を介して容易に分離可能に連結することによって容体１入りの固結材Ａを構成したものである。
【００４１】
上記図７においても易分離手段の構成は適宜変更可能であり、例えば上記粘着体１３の代わりに前記のようなミシン目やハーフカットラインを設ける等その他適宜である。なお図７において、１４は上記有底筒状のカプセル等で構成した各室１０の上記粘着体１３による連結部（上記有底筒状のカプセルにおける底部）と反対側の端部に嵌めたキャップ、図６および図７において、ｂ上記接着材や定着材と共に各室１０内に収容した破砕可能な骨材である。
【産業上の利用可能性】
【００４２】
以上のように本考案による容体入り固結材Ａによれば、隣り合う室１０・１０間の易分離手段で分離することによって、上記容体入り固結材Ａをアンカーボルトの長さ等に応じた所望の長さに容易に分断することが可能となる。その結果、容体入り固結材Ａの長さによって施工するアンカーボルトの長さが制限されたり、施工不能となることがないもので、長さの異なる各種のアンカーボルトを容易に施工できるものである。
【図面の簡単な説明】
【００４３】
【図１】（ａ）は本考案による容体入り固結材の一実施形態を示す正面図、（ｂ）は易分離手段で分離する状態の同上図。
【図２】（ａ）〜（ｄ）は各種アンカーボルトの構成例を示す説明図。
【図３】（ａ）〜（ｄ）はアンカーボルトの施工プロセスの一例を示す説明図。
【図４】（ａ）〜（ｅ）は上記施工プロセスの続きの説明図。
【図５】（ａ）〜（ｆ）はアンカーボルトの他の施工プロセスを示す説明図。
【図６】本考案による容体入り固結材の他の実施形態を示す正面図。
【図７】本考案による容体入り固結材の更に他の実施形態を示す正面図。
【符号の説明】
【００４４】
Ａ  容体入り固結材
ａ  硬化性固結材
ｂ  骨材
１  容体
１ａ、１ｂ  端部
１０  室
１１  閉塞部
１１ａ  易分離手段（ミシン目）
１３  粘着体
１４  キャップ
２  アンカーボルト
２ａ  前端部
２ｂ  後端部
２１  傾斜面
２２  雄ねじ
２３  連結ナット
３  ナット
４  ワッシャ
ｈ  穿孔
【図１】
0003133809.tif 000003
【図２】
0003133809.tif 000004
【図３】
0003133809.tif 000005
【図４】
0003133809.tif 000006
【図５】
0003133809.tif 000007
【図６】
0003133809.tif 000008
【図７】
0003133809.tif 000009